(57)【要約】【課題】パネル構造体における化粧パネルの取付けに関し、より改善された技術を提供する。【解決手段】パネル本体１と、パネル本体に設けられ、板金プレス加工により形成された化粧パネル２とを備えるパネル構造体において、パネル本体及び化粧パネル間に介在して化粧パネルの厚さ方向の位置を調整し決定している樹脂製の調整部材３を設ける。化粧パネルの表面の位置と、この化粧パネルの代わりに厚さが異なる樹脂製の他の化粧パネルが設けられた場合における該他の化粧パネルの表面の位置とが同一となるように調整部材の厚さが定められる。【選択図】図２
2006073797.tif 000002
【特許請求の範囲】
【請求項１】
パネル本体及び該パネル本体に設けられた化粧パネルを備えるパネル構造体において、前記パネル本体及び化粧パネル間に介在して該化粧パネルの厚さ方向の位置を調整し決定している調整部材を有することを特徴とするパネル構造体。
【請求項２】
前記化粧パネルは板金プレス加工により形成されたものであり、前記調整部材は樹脂製であることを特徴とする請求項１に記載のパネル構造体。
【請求項３】
前記調整部材は前記パネル本体に固定され、前記化粧パネルは前記調整部材に固定されていることを特徴とする請求項１又は２に記載のパネル構造体。
【請求項４】
前記化粧パネル、及び前記化粧パネルの代わりに厚さ又は形状が異なる他の化粧パネルが設けられた場合における該他の化粧パネルについて、両化粧パネルの表面の一部又は全部の形状が同一であり、該一部又は全部の表面形状の位置が同一となるように前記調整部材の厚さ及び形状が定められていることを特徴とする請求項１〜３のいずれか１項に記載のパネル構造体。
【請求項５】
前記一部又は全部の表面形状及びその位置が同一であることに基づき、前記両化粧パネルについて、所定の部品を共用することが可能となっていることを特徴とする請求項４に記載のパネル構造体。
【請求項６】
前記部品は、前記化粧パネルの前面から突出している操作子であることを特徴とする請求項５に記載のパネル構造体。
【請求項７】
前記他の化粧パネルは、前記調整部材を介在させることなく直接前記パネル本体に固定されるものであることを特徴とする請求項４〜６のいずれか１項に記載のパネル構造体。
【請求項８】
前記調整部材及び前記他の化粧パネルの前記パネル本体への取付け方法が同一であり、これにより、前記パネル本体は、前記両化粧パネルに対し、共用可能となっていることを特徴とする請求項７に記載のパネル構造体。
【発明の詳細な説明】
【技術分野】
【０００１】
本発明は、パネル本体及びパネル本体に設けられた化粧パネルを備えるパネル構造体に関する。
【背景技術】
【０００２】
一般に、電気製品等の外側の見える部分には、外観を装飾的に見せるために、化粧パネルが用いられる（たとえば、特許文献１及び特許文献２参照）。カーオーディオシステムにおいても、従来、システム前面のパネル本体上に、樹脂製や金属製の化粧パネルが設けられている。
【０００３】
図６はカーオーディオシステムにおける従来のパネル構造体の一例を示す。このパネル構造体は、パネル本体６１、パネル本体６１の両側においてパネル本体６１の前面側に設けられた２枚の化粧パネル６２、パネル構造体の前面に設けられたツマミ６５、及び、化粧パネル６２の前面において突出させて設けられたツマミ６４を有する。
【０００４】
図７はパネル構造体を組み立てる様子を示す組立図である。同図に示すように、パネル構造体の組立てに際しては、ツマミ６４が化粧パネル６２の表面から突出するように、パネル本体６１の裏面側からツマミ６４が挿入され、かつ化粧パネル６２がパネル本体６１に位置決めされ、固定される。
【０００５】
図８は化粧パネル６２部分の断面図である。化粧パネル６２は樹脂製であり、ボス６２ｂを有する。パネル本体６１に対する化粧パネル６２の固定は、ボス６２ｂをパネル本体６１の貫通孔６１ａに挿入して化粧パネル６２を位置決めし、パネル本体６１の裏面側に突出したボス６２ｂをパネル本体６１に熱溶着することにより行われる。
【０００６】
図９は化粧パネル６２に代えて別の化粧パネル９２を用いた場合における図８と同様の部分を示す断面図である。化粧パネル９２はアルミ等の金属板をプレス加工して形成したものである。パネル本体６１に対する化粧パネル９２の固定は、両面テープにより行われる。他の点については、図６〜図８のパネル構造体の場合と同様である。
【０００７】
このように、従来のパネル構造体においては、製品ラインナップにおいてグレードに応じた外観の差別化を図るため、化粧パネルとして、樹脂製のものや金属製のものが、製品のグレードに応じて選択的に使用される。
【０００８】
【特許文献１】実開昭６２−１２７１９１号公報
【特許文献２】実開平２−９２９７８号公報
【発明の開示】
【発明が解決しようとする課題】
【０００９】
しかしながら、上述従来技術によれば、図８及び図９に示されるように、金属板をプレス加工して形成した化粧パネル９２については、パネルの厚さを樹脂製の化粧パネル６２の場合のように任意にコントロールすることはできないので、肉厚が均一なものとなる。このため、樹脂製の化粧パネル６２を用いる場合と金属製の化粧パネル９２を用いる場合とではパネル構造体のデザインが異なるという不都合がある。
【００１０】
これに対し、デザインを樹脂製化粧パネル６２のものに統一するために、化粧パネル９２としてアルミダイキャスト製のものを用いることも考えられる。しかし、そうすると、製品の重量が増加するので、好ましくない。
【００１１】
また、樹脂製の化粧パネル６２と、金属製の化粧パネル９２とでは、パネル本体６１に対する固定方法が異なるので、構造自体も異なる。したがって、両化粧パネルについては異なる設計を行う必要がある。また、この場合、両化粧パネルに対し、ベースとなるパネル本体６１として、共通のものを使用することができない。つまり、化粧パネルの材質に応じて異なるパネル本体を用いる必要がある。そうすると、部品数が増加し、製造コストも増加することになる。
【００１２】
また、樹脂製の化粧パネル６２又は金属製の化粧パネル９２を選択的に用いる場合に、ツマミ６４については共通のものを使用すると、両化粧パネルは厚さが異なるので、両化粧パネルの表面からのツマミ６４の突出量が異なる。このことは、パネル構造体における外観の品位やツマミ６４の操作性に悪影響を及ぼす。
【００１３】
本発明の目的は、このような従来技術の問題点に鑑み、パネル構造体における化粧パネルの取付けに関し、より改善された技術を提供することにある。
【課題を解決するための手段】
【００１４】
この目的を達成するため、本発明のパネル構造体は、パネル本体と、パネル本体上に設けられた化粧パネルとを備えたパネル構造体において、パネル本体及び化粧パネル間に介在して化粧パネルの厚さ方向の位置を調整し決定している調整部材を有することを特徴とする。
【００１５】
ここで、パネル構造体としては、たとえば、カーオーディオシステム等の電子機器に使用されるものが該当する。化粧パネルとしては、たとえば、金属板をプレス加工したものが該当する。調整部材としては、たとえば、樹脂製のものが該当する。
【００１６】
この構成において、パネル本体に対する化粧パネルの厚さ方向の位置は、調整部材によって調整され、決定されているので、パネル構造体の製造に際し、適当な厚さの調整部材を用いることにより、パネル本体に対する化粧パネルの厚さ方向位置を任意に制御することができる。したがって、たとえば、板金プレス加工により形成した厚さの薄い化粧パネルを使用する場合でも、樹脂製の厚い化粧パネルを使用する場合と同等の化粧パネル表面の位置を得ることができる。
【００１７】
これにより、使用する化粧パネルの厚さに拘わらず、外観上の統一を図ったり、ツマミのパネル表面からの突出量を一定としたりすることができる。また、化粧パネルを、調整部材を介してパネル本体へ取り付けることができるので、取付けのためのパネル本体における構造を統一化することもできる。
【００１８】
第２の発明に係るパネル構造体は、第１発明において、化粧パネルは板金プレス加工により形成されたものであり、調整部材は樹脂製であることを特徴とする。
【００１９】
第３の発明係るパネル構造体は、第１又は第２発明において、調整部材はパネル本体に固定され、化粧パネルは調整部材に固定されていることを特徴とする。
【００２０】
第４の発明に係るパネル構造体は、第１〜第３のいずれかの発明において、化粧パネル、及びこの化粧パネルの代わりに厚さ又は形状が異なる他の化粧パネルが設けられた場合における該他の化粧パネルについて、両化粧パネルの表面の一部又は全部の形状が同一であり、該形状の位置が同一となるように調整部材の厚さ及び形状が定められていることを特徴とする。
【００２１】
第５の発明に係るパネル構造体は、第４発明において、前記一部又は全部の表面形状及びその位置が同一であることに基づき、前記両化粧パネルについて、所定の部品を共用することが可能となっていることを特徴とする。
【００２２】
第６の発明に係るパネル構造体は、第５発明において、前記部品は、化粧パネルの前面から突出している操作子であることを特徴とする。操作子としては、たとえば、ツマミ、スライダ、ボタン等が該当する。
【００２３】
第７の発明に係るパネル構造体は、第４〜第６のいずれかの発明において、他の化粧パネルは、前記調整部材を介在させることなく直接前記パネル本体に固定されるものであることを特徴とする。
【００２４】
第８の発明に係るパネル構造体は、第７発明において、調整部材及び前記他の化粧パネルのパネル本体への取付け方法が同一であり、これにより、パネル本体は、前記両化粧パネルに対し、共用可能となっていることを特徴とする。
【発明の効果】
【００２５】
本発明によれば、パネル本体に対する化粧パネルの厚さ方向位置をパネル構造体の製造時に任意に制御することができる。したがって、使用する化粧パネルの厚さや形状に拘わらず外観上の統一を図るとともに、異なる材質の化粧パネルを使い分けて質感に変化をもたせ、スタンダードな機種から高級機までの製品ラインナップを容易に構成することができる。また、使用する化粧パネルの厚さや形状に拘わらず、操作子等の部品の共用化を図ることができる。また、化粧パネルの取付けのためのパネル本体における構造を、厚さや形状の異なる化粧パネルについて統一化し、パネル本体の共用化を図ることができる。また、調整部材の形状をプレス加工品の化粧パネルの形状に適合させることにより、プレス加工品の化粧パネルの形状を任意にデザインすることができる。
【発明を実施するための最良の形態】
【００２６】
図１は本発明の一実施形態に係るカーオーディオ製品に用いられるパネル構造体を示す斜視図であり、図２は該パネル構造体の組立図である。このカーオーディオ製品については標準仕様のものと、より機能の高い上位グレードのものとがラインナップされており、図１及び図２のパネル構造体は上位グレードの製品に対して使用されるものである。
【００２７】
図１に示すように、パネル構造体は、パネル本体１、及びパネル本体１上に設けられた化粧パネル２、及び、パネル構造体の表面から突出したツマミ４及び５を備える。図２に示すように、パネル本体１と化粧パネル２との間には、化粧パネル２の厚さ方向の位置を調整し決定している樹脂製のスペーサ３を有する。パネル本体１、化粧パネル２、及びスペーサ３には、それぞれ、ツマミ４を通すための貫通孔１ａ、２ａ及び３ａが設けられている。
【００２８】
なお、標準仕様の製品に対しては、化粧パネル２の代わりに、化粧パネル２及びスペーサ３を併せたものと同一形状を有する樹脂製の化粧パネルが用いられる。樹脂製化粧パネルは、図８に示されるように、スペーサを介在させることなく、直接パネル本体上に取り付けられる。
【００２９】
化粧パネル２はアルミ板をプレス加工して形成したものである。このため、化粧パネル２は、樹脂製化粧パネルのように厚く形成することができない。そこで、スペーサ３によって、パネル本体１に対する化粧パネル２の表面の高さを、樹脂製化粧パネルを用いた場合のパネル表面の高さと同一となるように調整している。
【００３０】
この場合、化粧パネル２及び樹脂製化粧パネルの表面形状が同一であれば、両化粧パネルの高さは全体的に同一となる。しかしながら、両化粧パネルの表面形状が部分的にのみ同一である場合には、その同一部分の高さを同一にすることができる。
【００３１】
図３は化粧パネル２部分の断面図である。同図に示すように、スペーサ３はスペーサ３をパネル本体１に固定するための溶着用ボス３ｂを有する。パネル本体１に設けられた貫通孔１ｂにパネル本体１の前面側からボス３ｂ部分を挿入してスペーサ３を位置決めし、パネル本体１の裏面側に突出したボス３ｂをパネル本体１に対し熱溶着することによってスペーサ３をパネル本体１に固定することができる。貫通孔１ｂは、ボス３ｂと同様の溶着用ボスを有する樹脂製化粧パネルを直接パネル本体１に固定する場合にも使用される。つまり、パネル本体１は、製品のグレードに応じて使い分けられるプレス品の化粧パネル２及び樹脂製の化粧パネルに対し、共通して用いることができる。
【００３２】
化粧パネル２のパネル本体１に対する取付けは、図２に示すように、まず、パネル本体１に対し、スペーサ３を上述の熱溶着により固定し、次に、スペーサ３上に、化粧パネル２を両面テープで固定することにより行う。ツマミ４はパネル本体１の裏側から、貫通孔１ａ〜３ａに挿入することにより取り付けられる。これにより、パネル本体１を基準とする化粧パネル２表面の高さが、樹脂製化粧パネルを用いた場合におけるパネル表面の高さと同一となるように、スペーサ３によって調整され、決定されることになる。
【００３３】
本実施形態によれば、パネル本体１と化粧パネル２との間にスペーサ３を介在させることによって化粧パネル２の厚さ方向位置を調整し、決定するようにしたため、スペーサ３として適当な厚さのものを用いることにより、パネル本体１に対する化粧パネル２の厚さ方向位置を任意に設定してパネル構造体を製造することができる。したがって、化粧パネル２の表面形状と、これに代えて樹脂製の化粧パネルを用いた場合における該樹脂製化粧パネルの表面形状とが一部又は全部において同一であるとき、該一部又は全部の表面形状の高さが同一となるようにパネル構造体を製造することができる。
【００３４】
これにより、化粧パネル２を用いる場合と、樹脂製化粧パネルを用いる場合とで、パネル構造体の外観デザインの統一化を図ることができる。したがって、製品のグレードに応じてアルミ製の化粧パネル２と樹脂製化粧パネルとを支障なく使い分けることができる。したがって、グレードの異なる製品のラインナップを容易に達成することができる。
【００３５】
また、上述のように、化粧パネル２及び樹脂製化粧パネルの一部又は全部の表面形状の高さを同一とすることによって、両化粧パネルからのツマミ４の突出量を同一にすることができる。したがって、両化粧パネルを用いる場合において、ツマミ４を支障なく共用することができる。
【００３６】
また、スペーサ３は樹脂製であり、かつ化粧パネル２はアルミのプレス加工品であるため、これらの代わりに、スペーサ３及び化粧パネル２を併せたものと同一形状のアルミダイキャスト製化粧パネルを用いる場合に比べて、製品の軽量化を図ることができる。
【００３７】
また、パネル本体１に対するスペーサ３の取付け方法は、樹脂製の化粧パネルの場合と同じであるため、化粧パネル２を用いる場合と、樹脂製化粧パネルを用いる場合とで、パネル本体１を共用することができる。
【００３８】
図４は本発明の別の実施形態に係るカーオーディオ製品に用いられるパネル構造体の一部を示す断面図である。図４は図３の場合と同様の部分を示している。このパネル構造体では、図３における化粧パネル２及びスペーサ３とは形状のみが異なる化粧パネル３２及びスペーサ３３を用いている。他の点については図１〜図３の形態の場合と同様である。このパネル構造体も上位グレードの製品に使用される。図３及び図４で示されるように、スペーサ３、３３の形状をプレス加工品の化粧パネル２、３２の形状に適合させることにより、プレス加工品の化粧パネル２、３２の形状を任意にデザインすることができる。
【００３９】
標準仕様の製品については、図１〜図３の形態における化粧パネル２に対し代替的に使用される樹脂製化粧パネルと同一の化粧パネルが使用される。化粧パネル３２はこの樹脂製化粧パネルとは形状が異なるが、この場合も、化粧パネル３２の厚さ方向の位置がスペーサ３３によって調整されているので、図１〜図３の形態の場合と同様の効果を得ることができる。
【００４０】
図５は本発明のさらに別の実施形態に係るカーオーディオ製品に用いられるパネル構造体の一部を示す断面図である。このパネル構造体は、図１〜図３のパネル構造体とはスペーサが異なる。すなわち、スペーサ３のボス３ｂの代わりに係止部材５３ｂを有するスペーサ５３を使用している。係止部材５３ｂをその弾性力に抗してパネル１の貫通孔１ｂに挿入し、係止部材５３ｂ先端のツメ部が貫通孔１ｂを抜けたとき、弾性力によりツメ部が変位してパネル１に係止することにより、スペーサ５３がパネル本体１に固定されるようになっている。他の点については図１〜図３の形態の場合と同様である。
【００４１】
なお、本発明は上述の実施形態に限定されることなく適宜変形して実施することができる。たとえば、上述においては、カーオーディオ製品について本発明を適用した場合について述べたが、本発明は、これに限らず、他の製品についても適用することができる。また、化粧パネルの材料としてアルミや樹脂を用い、スペーサの材料として樹脂を用いているが、これに限らず、他の材料を用いるようにしてもよい。
【００４２】
また、上述においては、パネル本体１に対してスペーサ３を固定するために、ボス３ｂを溶着する方法を用いているが、この代わりに、ボス３ｂを専ら位置決め用とし、スペーサ３のボス３ｂ以外の部分を両面テープでパネル本体１に固定するようにしてもよい。
【図面の簡単な説明】
【００４３】
【図１】本発明の一実施形態に係るカーオーディオ製品に用いられるパネル構造体を示す斜視図である。
【図２】図１のパネル構造体の組立図である。
【図３】図１のパネル構造体における化粧パネル部分の断面図である。
【図４】本発明の別の実施形態に係るパネル構造体の一部を示す断面図である。
【図５】本発明のさらに別の実施形態に係るパネル構造体の一部を示す断面図である。
【図６】カーオーディオシステムにおける従来のパネル構造体の一例を示す斜視図である。
【図７】図６のパネル構造体を組み立てる様子を示す組立図である。
【図８】図６のパネル構造体における化粧パネル部分の断面図である。
【図９】図６のパネル構造体において別の化粧パネルを用いた場合における図８と同様の部分を示す断面図である。
【符号の説明】
【００４４】
１，６１：パネル本体、１ａ，１ｂ，２ａ，３ａ：貫通孔、２，３２，６２，９２：化粧パネル、３，３３，５３：スペーサ、３ｂ，６２ｂ：ボス、４，５，６４，６５：ツマミ、５３ｂ：係止部材。
【図１】
2006073797.tif 000003
【図２】
2006073797.tif 000004
【図３】
2006073797.tif 000005
【図４】
2006073797.tif 000006
【図５】
2006073797.tif 000007
【図６】
2006073797.tif 000008
【図７】
2006073797.tif 000009
【図８】
2006073797.tif 000010
【図９】
2006073797.tif 000011